(57)【要約】      （修正有）【課題】強度を低下させることなく、従来に比してさらに一段と軽量化した縁台を提供する。【解決手段】平面視にて長方形形状の座板部と、座板部を保持する脚体部とを備え、座板部が、平板形状の座板部材２Ａを順次配置して形成され、座板部材２Ａが、短手方向の断面が矩形形状の中空の金属材であり、側壁２ＡＢと平行に延長するように設けられた柱形状の隔壁２ＡＣにより、内部空間が長手方向に延長する複数の小空間２ＡＤに分轄され、短手方向の断面において、表面２ＡＡ側の部位が小空間２ＡＤの中央から遠ざかるに従って厚みが厚くなるように形成されて、小空間２ＡＤの表面側がアーチ形状により形成される。【選択図】図３
0003224922.tif 000002
【実用新案登録請求の範囲】
【請求項１】
平面視にて長方形形状の座板部と、
前記座板部を保持する脚体部とを備え、
前記座板部が、
平板形状の座板部材を順次配置して形成され、
前記座板部材が、
短手方向の断面が矩形形状の中空の金属材であり、
側壁と平行に延長するように設けられた柱形状の隔壁により、内部空間が長手方向に延長する複数の小空間に分轄され、
前記短手方向の断面において、前記小空間の中央から遠ざかるに従って表面側の部位の厚みが厚くなるように形成されて、前記小空間の前記表面側がアーチ形状により形成された
縁台。
【請求項２】
前記座板部は、
前記座板部に係る前記長方形形状の短辺に沿った方向が、前記座板部材の長手方向となる向きにより、前記長方形形状の長辺に沿った方向に前記座板部材が順次配置され、
前記脚体部は、
前記座板部の裏面側に配置された脚体により前記座板部を保持し、
前記脚体が、
前記座板部に係る前記長方形形状のコーナーの部位と、長辺の中央の部位とに配置された
請求項１に記載の縁台。
【請求項３】
前記座板部は、
前記座板部に係る前記長方形形状の短辺に沿った方向が、前記座板部材の長手方向となる向きにより、前記長方形形状の長辺に沿った方向に前記座板部材が順次配置され、
前記脚体部は、
前記座板部の裏面側に配置された脚体により前記座板部を保持し、
前記脚体が、
前記座板部に係る前記長方形形状のコーナーの部位に配置された
請求項１に記載の縁台。
【請求項４】
前記座板部は、
前記座板部に係る前記長方形形状の長辺に沿った方向が、前記座板部材の長手方向となる向きにより、前記長方形形状の短辺に沿った方向に前記座板部材が順次配置され、
前記脚体部は、
前記座板部の裏面側に配置された脚体により前記座板部を保持し、
前記脚体が、
前記座板部に係る前記長方形形状のコーナーの部位に配置された
請求項１に記載の縁台。
【請求項５】
前記座板部は、
前記座板部に係る前記長方形形状の長辺に沿った方向が、前記座板部材の長手方向となる向きにより、前記長方形形状の短辺に沿った方向に前記座板部材が順次配置され、
前記脚体部は、
前記座板部の裏面側に配置された脚体により前記座板部を保持し、
前記脚体が、
前記座板部に係る前記長方形形状のコーナーより内側の部位に配置された
請求項１に記載の縁台。
【請求項６】
前記座板部は、
前記座板部に係る前記長方形形状の長辺に沿った方向が、前記座板部材の長手方向となる向きにより、前記長方形形状の短辺に沿った方向に前記座板部材が順次配置され、
前記脚体部は、
前記座板部の裏面側に配置された脚体により前記座板部を保持し、
前記脚体が、
前記座板部に回動自在に配置された
請求項１に記載の縁台。
【考案の詳細な説明】
【技術分野】
【０００１】
本考案は、縁台に関し、中空のアルムニウム材等を使用した縁台に関する。なお、縁台は一般的には、店先、及び住居の庭先又は路地などに置く細長い腰掛けをいうが、本考案における縁台は、構成が同じであれば、ベンチ又は長椅子と呼ばれるものも含まれる。
【背景技術】
【０００２】
従来、アルミニウム材を使用した縁台が提供されており、このような縁台に関する工夫が種々に提案されている（例えば特許文献１）。この種の縁台では、中空のアルムニウム材を使用して重量を軽減している。
【先行技術文献】
【特許文献】
【０００３】
【特許文献１】特開２０１８−１９３８２０号公報
【考案の概要】
【考案が解決しようとする課題】
【０００４】
ところでこの種の縁台においては、強度を低下させることなく、さらに一段と軽量化することが望まれる。
【０００５】
本考案はこのような状況に鑑みてなされたものであり、強度を低下させることなく、一段と軽量化することができる縁台を提案することを目的とする。
【課題を解決するための手段】
【０００６】
本考案者は、上記課題を解決するために鋭意研究を重ね、座板部材に隔壁を設け、座板部に対する加重をこの隔壁に分散させる、との着想に至り、本考案を完成するに至った。
【０００７】
具体的には、本考案は以下のようなものを提供する。
【０００８】
（１）  本考案の一態様は、
平面視にて長方形形状の座板部と、
前記座板部を保持する脚体部とを備え、
前記座板部が、
平板形状の座板部材を順次配置して形成され、
前記座板部材が、
短手方向の断面が矩形形状の中空の金属材であり、
側壁と平行に延長するように設けられた柱形状の隔壁により、内部空間が長手方向に延長する複数の小空間に分轄され、
前記短手方向の断面において、前記小空間の中央から遠ざかるに従って表面側の部位の厚みが厚くなるように形成されて、前記小空間の前記表面側がアーチ形状により形成された縁台である。
【０００９】
上記（１）の縁台の構成によれば、隔壁により強度を確保することができる。またさらに小空間のアーチ形状により座板部に対する加重を隔壁に分散させることができる。これにより単に中空の金属材により座板部を形成する場合に比して軽量化して強度を確保することができる。これにより強度を低下させることなく、従来に比してさらに一段と軽量化することができる。
【００１０】
（２）  上記（１）の縁台において、
前記座板部は、
前記座板部に係る前記長方形形状の短辺に沿った方向が、前記座板部材の長手方向となる向きにより、前記長方形形状の長辺に沿った方向に前記座板部材が順次配置され、
前記脚体部は、
前記座板部の裏面側に配置された脚体により前記座板部を保持し、
前記脚体が、
前記座板部に係る前記長方形形状のコーナーの部位と、長辺の中央の部位とに配置された縁台とすることができる。
【００１１】
（３）  上記（１）の縁台において、
前記座板部は、
前記座板部に係る前記長方形形状の短辺に沿った方向が、前記座板部材の長手方向となる向きにより、前記長方形形状の長辺に沿った方向に前記座板部材が順次配置され、
前記脚体部は、
前記座板部の裏面側に配置された脚体により前記座板部を保持し、
前記脚体が、
前記座板部に係る前記長方形形状のコーナーの部位に配置された縁台とすることができる。
【００１２】
（４）上記（１）の縁台において、
前記座板部は、
前記座板部に係る前記長方形形状の長辺に沿った方向が、前記座板部材の長手方向となる向きにより、前記長方形形状の短辺に沿った方向に前記座板部材が順次配置され、
前記脚体部は、
前記座板部の裏面側に配置された脚体により前記座板部を保持し、
前記脚体が、
前記座板部に係る前記長方形形状のコーナーの部位に配置された縁台とすることができる。
【００１３】
（５）上記（１）の縁台において、
前記座板部は、
前記座板部に係る前記長方形形状の長辺に沿った方向が、前記座板部材の長手方向となる向きにより、前記長方形形状の短辺に沿った方向に前記座板部材が順次配置され、
前記脚体部は、
前記座板部の裏面側に配置された脚体により前記座板部を保持し、
前記脚体が、
前記座板部に係る前記長方形形状のコーナーより内側の部位に配置された縁台とすることができる。
【００１４】
（６）上記（１）の縁台において、
前記座板部は、
前記座板部に係る前記長方形形状の長辺に沿った方向が、前記座板部材の長手方向となる向きにより、前記長方形形状の短辺に沿った方向に前記座板部材が順次配置され、
前記脚体部は、
前記座板部の裏面側に配置された脚体により前記座板部を保持し、
前記脚体が、
前記座板部に回動自在に配置された縁台とすることができる。
【００１５】
上記（２）、（３）、（４）、（５）、（６）の縁台の構成によれば、より具体的構成により強度を低下させることなく、従来に比してさらに一段と軽量化することができる。
【考案の効果】
【００１６】
本考案によれば、強度を低下させることなく、従来に比してさらに一段と軽量化することができる。
【図面の簡単な説明】
【００１７】
【図１】本考案の第１実施形態に係る縁台を示す斜視図である。
【図２】図１の縁台の分解斜視図である。
【図３】図１の縁台の座板部材の断面図である。
【図４】本考案の第２実施形態に係る縁台を示す斜視図である。
【図５】図４の縁台の分解斜視図である。
【図６】本考案の第３実施形態に係る縁台を示す斜視図である。
【図７】本考案の第４実施形態に係る縁台を示す斜視図である。
【図８】図７の縁台の分解斜視図である。
【図９】本考案の第５実施形態に係る縁台を示す斜視図である。
【図１０】図９の縁台を斜め下方より見た斜視図である。
【図１１】図９の縁台の分解斜視図である。
【図１２】脚体を倒した状態を示す斜視図である。
【図１３】脚体を完全に倒した状態を示す斜視図である。
【考案を実施するための形態】
【００１８】
〔第１実施形態〕
図１は、本考案の第１実施形態に係る縁台を示す斜視図であり、図２は、縁台１の分解斜視図である。
この縁台１は、座板部２と、この座板部２を保持する脚体部３とを備える。
ここで座板部２は、ユーザーが腰を下ろす部位であり、平面視にて、長方形形状（図１において上方から見た形状である）に形成され、平板形状の座板部材２Ａを順次配置して形成される。
【００１９】
座板部２においては、アルミニウム材により、断面が「コ」の字形状の中空の柱形状に支持部材２Ｂが形成され、この支持部材２Ｂにネジ２Ｃにより、座板部材２Ａの両端部内の保持金具２Ｄが順次保持される。ネジ２Ｃは支持部材２Ｂから、座板部材２Ａに開けられた開口を介して保持金具２Ｄのネジ切りされたネジ穴に差し込まれてネジ止めされる。ここで座板部材２Ａの保持金具２Ｄは、座板部材２Ａの端部に露出する座板部材２Ａの空隙に差し込まれて、座板部材２Ａに勘合する枠形状の部材である。
これにより座板部２は、保持金具２Ｄを座板部材２Ａの空隙に差し込むようにして、保持金具２Ｄを介して一対の支持部材２Ｂにより座板部材２Ａを両端より挟持して座板部材２Ａを保持する。
【００２０】
座板部２は、このようにして保持金具２Ｄ、支持部材２Ｂにより座板部材２Ａを保持するようにして、座板部材２Ａを順次配置して形成される。
より具体的に、この実施形態において、座板部２は、座板部２に係る長方形形状の短辺に沿った方向が、座板部材２Ａの長手方向となる向きにより、この長方形形状の長辺に沿った方向に座板部材２Ａが順次配置されて形成される。
なお座板部２においては、支持部材２Ｂの両端に目隠し用のカバー２Ｅが設けられ、さらに複数配置された座板部材２Ａの両端に目隠し用のカバー２Ｆが設けられる。カバー２Ｆは複数の線が座板部２の長手方向に線が並んでストライプ状に形成され意匠的効果を生じさせる。また支持部材２Ｂは、長さの短い２つの部材を図示しない接続金具により接続して形成される。
【００２１】
脚体部３は、この座板部２の裏面側に配置された脚体３Ａにより座板部２を保持する。
より具体的に、この実施形態では、座板部２に係る長方形形状のコーナーの部位と、長辺の中央の部位との6箇所に脚体３Ａが配置される。なお脚体３Ａは、アルミニウム材により、断面矩形形状による中空の柱形状により形成され、支持部材２Ｂに一端固定されることにより座板部２の裏面側に配置される。
また短辺の方向に対向する1対の脚体３Ａは、中空、柱形状のアルミニウム材による補強材３Ｂにより接続される。
なお脚体３Ａは、下方の端部にカバー３Ｃが設けられる。
【００２２】
縁台１は、座板部材２Ａが、ＷＰＣ（Wood Plastic Composite）で構成され、木材の木目調に加工されることで高級感を醸し出すように形成される。ここで、ＷＰＣとは、木粉とプラスチック樹脂原料を配合し、成形加工した製品である。なお、座板部材２Ａの材質は特にＷＰＣに限定されず、他の材料、例えばアルミニウム等の金属材料、プラスチック等を用いてもよい。
また座板部２においては、隣接する座板部材２Ａが異なる木目調とされ、これにより縁台１は、自然木を使用しているかの色合いを醸し出すように形成される。
またさらに座板部材２Ａは、木目を表現するように着色に濃淡が設けられる。
これらにより縁台１は、一段と高級感を醸し出すように形成される。
【００２３】
〔座板部材２Ａの断面形状〕
図３は、図２においてＡ−Ａ線により座板部材２Ａを切り取って示す座板部材２Ａの短手方向の断面を示す断面図である。
座板部材２Ａは、短手方向の断面が矩形形状の中空のＷＰＣにより形成される。
座板部材２Ａは、表面２ＡＡが平坦な面により形成され、側壁２ＡＢと平行に設けられた柱形状の隔壁２ＡＣにより、長手方向に延長する複数の小空間２ＡＤに内部空間が分轄される。この実施形態では、この隔壁２ＡＣが２個設けられ、これにより３つの小空間２ＡＤが形成される。
座板部材２Ａは、この短手方向の断面において、小空間２ＡＤの中央から遠ざかるに従って表面２ＡＡ側の部位の厚みが厚くなるように形成されて、小空間２ＡＤの表面２ＡＡ側がアーチ形状により形成される。
【００２４】
これにより縁台１は、隔壁２ＡＣにより強度を確保することができ、座板部材２Ａの厚みを薄くして強度を確保しつつ軽量化することができる。
またさらに小空間２ＡＤのアーチ形状により座板部２に対する加重を隔壁２ＡＣに分散させることができ、一段と座板部材２Ａの厚みを薄くして強度を確保しつつ軽量化することができる。
これらにより縁台１は、単に中空の金属材により座板部２を形成する場合に比して軽量化して強度を確保することができ、強度を低下させることなく、従来に比して軽量化することができる。
【００２５】
またさらに座板部材２Ａは、中央の小空間２ＡＤの裏面側部位２ＡＥが、内側に撓んでアーチ状になるように形成される。
これにより縁台１は、座板部材２Ａの中央に対する加重を側壁２ＡＢの方向に分散させ、一段と座板部材２Ａの厚みを薄くして強度を確保しつつ軽量化することができる。
なおこのように側壁２ＡＢの方向に加重を分散させるようにして、座板部材２Ａは、座板部材２Ａに設けられた３つの小空間２ＡＤの内の、この分散させた側の２つの小空間２ＡＤ（両端の小空間）に保持金具２Ｄをそれぞれ配置して保持金具２Ｄが小空間２ＡＤに勘合するように形成され、これにより側壁２ＡＢの方向に分散させた加重を保持金具２Ｄでも受け持つようにして、充分に強度を確保できるように構成される。
【００２６】
以上の構成によれば、長手方向に側壁と平行に設けられた柱形状の隔壁２ＡＣにより、座板部材２Ａの内部空間を長手方向に延長する複数の小空間２ＡＤに分轄し、各小空間２ＡＤの中央から遠ざかるに従って表面側の部位の厚みが厚くなるように形成し、各小空間２ＡＤの表面側をアーチ形状に形成することにより、隔壁２ＡＣにより強度を確保して、小空間２ＡＤのアーチ形状により座板部２に対する加重を側壁２ＡＢに分散させることができ、これにより強度を低下させることなく、軽量化することができる。
【００２７】
またさらに座板部２に係る長方形形状の短辺に沿った方向が、座板部材２Ａの長手方向となる向きにより座板部材２Ａを順次配置し、座板部２に係る長方形形状のコーナーの部位と、長辺の中央の部位とに脚体を配置することにより、より具体的構成により強度を低下させることなく、軽量化することができる。
【００２８】
〔第２実施形態〕
図４及び図５は、図１及び図２との対比により本考案の第２実施形態に係る縁台を示す図である。
この縁台１１は、縁台１に比して長手方向の長さが約１／２の長さにより形成され、また脚体３Ａが座板部２に係る長方形形状のコーナーの部位に配置される。この縁台１１は、これらの構成が異なる点を除いて、第１実施形態の縁台１と同一に構成される。
【００２９】
この実施形態のように、座板部２に係る長方形形状の短辺に沿った方向が、座板部材２Ａの長手方向となる向きにより座板部材２Ａを順次配置し、座板部２に係る長方形形状のコーナーの部位に脚体を配置するようにしても、第１実施形態と同一の効果を得ることができる。
【００３０】
〔第３実施形態〕
図６は、図１との対比により本考案の第３実施形態に係る縁台を示す図である。
この縁台１２は、縁台１１に比してさらに長さの短い支持部材２Ｂが適用され、これにより座板部２に係る長方形形状の長辺に沿った方向が、座板部材２Ａの長手方向となる向きにより短辺に沿った方向に座板部材２Ａが順次配置される。
またこの座板部２に係る長方形形状のコーナーの部位に脚体３Ａが配置されて、支持部材２Ｂの短手方向に隣接する脚体３Ａが補強材３Ｂにより接続される。
この縁台１２は、これらの構成が異なる点を除いて、第１実施形態の縁台１と同一に構成される。
【００３１】
この実施形態のように、座板部２に係る長方形形状の長辺に沿った方向が、座板部材２Ａの長手方向となる向きにより座板部材２Ａを順次配置し、座板部２に係る長方形形状のコーナーの部位に脚体を配置するようにしても、上述の実施形態と同一の効果を得ることができる。
【００３２】
〔第４実施形態〕
図７及び図８は、図１及び図２との対比により本考案の第４実施形態に係る縁台を示す図である。
この縁台１３は、金属板材によるプレート２ＢＡＡに、脚体３Ａを挟持する一対の金属板材２ＢＡＢを配置して支持部材２ＢＡが形成される。縁台１３の座板部２は、プレート２ＢＡＡを座板部材２Ａの裏面にネジ留めすると共に、この一対の金属板材２ＢＡＢにより脚体３Ａを挟持してネジ留めすることにより、裏面に脚体部３が配置される。
このように、ネジ留めにより支持部材２ＢＡを座板部材２Ａの裏面に配置することにより、縁台１３においては、座板部材２Ａに対して支持部材２ＢＡを種々の位置に配置することができる。
【００３３】
これにより縁台１３は、座板部２に係る長方形形状の長辺に沿った方向が、座板部材２Ａの長手方向となる向きにより、この長方形形状の短辺に沿った方向に座板部材２Ａを順次配置するようにして、この長方形形状のコーナーより一定の距離だけ長手方向の内側の位置に支持部材２ＢＡを配置して脚体３Ａが配置される。
なお座板部材２Ａの端部には、保持金具２Ｄが挿入されて保持され、この保持金具２Ｄを介して座板部材２Ａ毎にカバー２ＦAが配置される。
【００３４】
脚体部３は、この座板部２に係る長方形形状の短辺に沿って対向する脚体３Ａが補強材３Ｂにより接続され、さらに補強材３Ｂも補強材３ＢＢにより接続される。
この縁台１３は、これらの構成が異なる点を除いて、上述の実施形態に係る縁台と同一に構成される。
【００３５】
この実施形態のように、座板部２に係る長方形形状の長辺に沿った方向が、座板部材２Ａの長手方向となる向きにより座板部材２Ａを順次配置し、座板部２に係る長方形形状のコーナーの部位より内側に脚体３Ａを配置するようにしても、上述の実施形態と同一の効果を得ることができる。
【００３６】
〔第５実施形態〕
図９は、本考案の第５実施形態に係る縁台を示す図であり、図１０は、この図９に示す縁台を斜め下方より見た斜視図である。また図１１は、この縁台の分解斜視図である。
この縁台１４は、金属板材によるプレートに、脚体３Ａを回動自在に保持する一対のL字型の金属板材を配置して支持部材３ＢＣが形成される。縁台１４の座板部２は、支持部材３ＢＣを座板部材２Ａの裏面にネジ留めすると共に、脚体３Ａの一端を回動自在に支持部材３ＢＣに保持することにより、裏面に脚体３Ａが配置される。
このように、ネジ留めにより支持部材３ＢＣを座板部材２Ａの裏面に配置することにより、縁台１４においては、座板部材２Ａに対して支持部材３ＢＣを種々の位置に配置することができる。
【００３７】
これにより縁台１４は、座板部２に係る長方形形状の長辺に沿った方向が、座板部材２Ａの長手方向となる向きにより、この長方形形状の短辺に沿った方向に座板部材２Ａを順次配置するようにして、この長方形形状のコーナーより一定の距離だけ長手方向の内側の位置に支持部材３ＢＣを配置して脚体３Ａが配置される。
なお座板部材２Ａの端部には、保持金具２Ｄが挿入されて保持され、この保持金具２Ｄを介して座板部材２Ａ毎にカバー２ＦAが配置される。
【００３８】
脚体部３は、脚体３Ａの他端部側であって、この座板部２に係る長方形形状の短辺に沿って対向する脚体３Ａ間に円柱部材３ＢＡが配置される。
またこの円柱部材３ＢＡに回動自在に、断面矩形形状による中空柱形状による第１の支持部材３Ｆの一端が保持され、この支持部材３Ｆの他端に同様に回動自在に、断面コの字形状による柱状の第２の支持部材３Ｇの一端が保持される。またこの第２の支持部材３Ｇの他端が、金具３Ｅにより回動自在に座板部材２Ａの裏面に保持される。
【００３９】
ここで図１０に示すように、これら支持部材３Ｆ、３Ｇは、ほぼ直線状に支持部材３Ｆ、３Ｇが保持された状態で、座板部材２Ａに対して脚体３Ａがほぼ鉛直に保持されるように構成され、この状態を保持するためのストッパーが設けられる。
これにより縁台１４は、支持部材３Ｆ、３Ｇをほぼ直線状に保持して縁台として利用できるように構成される。
【００４０】
また図１２に示すように、支持部材３Ｆ、３Ｇは、ストッパーを外して脚体３Ａを内側に倒すと、支持部材３Ｆ、３Ｇの回動により、第１の支持部材３Ｆが第２の支持部材３Ｇの断面コの字形状に係る凹部に収納され、これにより脚体３Ａを内側に倒すことができるように形成される。
図１３に示すように、支持部材３Ｆ、３Ｇは、このように脚体３Ａを倒したときに衝突しないように、座板部２の幅方向の中央よりオフセットした箇所に配置され、これにより縁台１４は、座板部２の裏面に密着するように脚体３Ａを倒して、全体形状を小型化できるように構成される。これにより縁台１４は、簡易に運搬することができ、さらには場所を取らないようにして収納できるように構成される。
この縁台１４は、これらの構成が異なる点を除いて、上述の実施形態に係る縁台と同一に構成される。
【００４１】
この実施形態のように、座板部２に係る長方形形状の長辺に沿った方向が、座板部材２Ａの長手方向となる向きにより座板部材２Ａを順次配置し、回動自在に座板部２に脚体３Ａを配置するようにしても、上述の実施形態と同一の効果を得ることができる。
【００４２】
〔他の実施形態〕
以上、本考案の実施に好適な具体的な構成を詳述したが、本考案は、本考案の趣旨を逸脱しない範囲で、上述の実施形態の構成を種々に変更することができる。
【符号の説明】
【００４３】
１、１１、１２、１３、１４    縁台
２  座板部
２Ａ  座板部材
２ＡＡ  表面
２ＡＢ  側壁
２ＡＣ  隔壁
２ＡＤ  小空間
２Ｂ、２ＢＡ、３ＢＣ、３Ｆ、３Ｇ  支持部材
２Ｄ  保持金具
２Ｅ、２Ｆ、３Ｃ  カバー
３Ａ  脚体
【図１】
0003224922.tif 000003
【図２】
0003224922.tif 000004
【図３】
0003224922.tif 000005
【図４】
0003224922.tif 000006
【図５】
0003224922.tif 000007
【図６】
0003224922.tif 000008
【図７】
0003224922.tif 000009
【図８】
0003224922.tif 000010
【図９】
0003224922.tif 000011
【図１０】
0003224922.tif 000012
【図１１】
0003224922.tif 000013
【図１２】
0003224922.tif 000014
【図１３】
0003224922.tif 000015